(57)【要約】【課題】反射型センサを用いることなく、正確に原稿台ガラスの上の原稿の端部を判定することが可能な原稿サイズ判定装置を提供する。【解決手段】原稿サイズ判定装置１は、読取位置の副走査方向上流側から光を照射する上流側導光体１０４と、読取位置の副走査方向下流側から光を照射する下流側導光体１０６と、読取位置から反射した反射光を読取るレンズアレイ１０５と、を有して原稿台ガラス１０３の上に載置された原稿を読取るイメージセンサ３０１を備える。原稿読取時に、上流側導光体１０４及び下流側導光体１０６の両方から照射して第１画像を取得し、上流側導光体１０４から照射して第２画像を取得する。そして、制御部１５０は、第１画像と第２画像との輝度レベルを比較し、その比較結果に基づき原稿の端部を判定する。【選択図】図１
2016066942.tif 000002
【特許請求の範囲】
【請求項１】
主走査方向に沿って配置され、読取位置の副走査方向上流側から前記読取位置に光を照射する第１照明部と、前記主走査方向に沿って配置され、前記読取位置の副走査方向下流側から前記読取位置に光を照射する第２照明部と、前記主走査方向に沿って配置され、前記読取位置から反射した反射光を読取る読取部と、を有し、前記副走査方向に移動しつつ原稿台ガラスの上に載置された原稿を読取る光学ユニットと、
前記第１照明部及び前記第２照明部からの光の照射を制御し得ると共に、前記第１照明部及び前記第２照明部の両方から光の照射を行いつつ第１画像を取得する第１画像取得処理と、前記第１照明部と前記第２照明部との少なくとも一方の光量を変更して光の照射を行いつつ第２画像を取得する第２画像取得処理と、を実行し得る制御部と、を備え、
前記制御部は、前記第１画像と前記第２画像とを比較し、その比較結果に基づき原稿の端部を判定する、
ことを特徴とする原稿サイズ判定装置。
【請求項２】
前記制御部は、前記第１画像取得処理と前記第２画像取得処理とを、前記主走査方向の１ラインについて交互に実行し、その１ラインに関する前記第１画像と前記第２画像との輝度レベルを比較する、
ことを特徴とする請求項１に記載の原稿サイズ判定装置。
【請求項３】
前記制御部は、仕様における最小サイズ以上の領域で前記輝度レベルの差が所定閾値以上である際に、原稿の端部として判定する、
ことを特徴とする請求項２に記載の原稿サイズ判定装置。
【発明の詳細な説明】
【技術分野】
【０００１】
本発明は、画像読取部により原稿台ガラスの上に載置された原稿のサイズを判定する原稿サイズ判定装置に関する。
【背景技術】
【０００２】
一般に、例えば複写機等にあっては、原稿読取装置で原稿台ガラスに載置された原稿のサイズを正確に判定し、例えば指定された縮小拡大の倍率等を加味して該当するサイズの用紙を選択し、指定された倍率で複写を行うことが行われている。載置された原稿のサイズを検知する方式としては、原稿台ガラスの下における複数箇所の所定位置に反射型フォトセンサを配置し、載置された原稿による反射光の有無に基づき原稿台ガラスの上に載置された原稿のサイズを検知するものがある（特許文献１参照）。
【０００３】
また、１つの反射型フォトセンサと画像読取用のセンサ（ＣＩＳやＣＣＤ等）を用いて、原稿サイズを検知する方式のものも提案されている（特許文献２参照）。このものは、原稿台ガラスに対する原稿の載置方向が縦方向である際の最大サイズより少し外れた位置に反射型フォトセンサを配置して原稿の載置方向が縦方向か横方向かを検知する。そして、主走査方向の長さを画像読取用のセンサで検知し、これら情報を総合して原稿サイズを検知している。
【先行技術文献】
【特許文献】
【０００４】
【特許文献１】特開昭６１−２０９３６号公報
【特許文献２】特開平５−２０７２３９号公報
【発明の概要】
【発明が解決しようとする課題】
【０００５】
しかしながら、上記特許文献１のものは、検知する原稿サイズの種類が増えるほど必要となる固定の反射型センサの数が増えるため、反射型センサを配設するスペースを必要とし、更に反射型センサの増加に伴うコストアップも招いてしまうという問題がある。
【０００６】
また、特許文献２のものも、主走査方向の原稿サイズは画像読取用のセンサを用いて検知しているが、副走査方向には固定の反射型センサを少なくとも１個配設する必要があるという問題が残っている。
【０００７】
そこで本発明は、固定の反射型センサを用いることなく、正確に原稿台ガラス上に載置された原稿の端部を判定することが可能な原稿サイズ判定装置を提供することを目的とするものである。
【課題を解決するための手段】
【０００８】
本発明に係る原稿サイズ判定装置は、主走査方向に沿って配置され、読取位置の副走査方向上流側から前記読取位置に光を照射する第１照明部と、前記主走査方向に沿って配置され、前記読取位置の副走査方向下流側から前記読取位置に光を照射する第２照明部と、前記主走査方向に沿って配置され、前記読取位置から反射した反射光を読取る読取部と、を有し、前記副走査方向に移動しつつ原稿台ガラスの上に載置された原稿を読取る光学ユニットと、前記第１照明部及び前記第２照明部からの光の照射を制御し得ると共に、前記第１照明部及び前記第２照明部の両方から光の照射を行いつつ第１画像を取得する第１画像取得処理と、前記第１照明部と前記第２照明部との少なくとも一方の光量を変更して光の照射を行いつつ第２画像を取得する第２画像取得処理と、を実行し得る制御部と、を備え、前記制御部は、前記第１画像と前記第２画像とを比較し、その比較結果に基づき原稿の端部を判定することを特徴とする。
【発明の効果】
【０００９】
本発明によると、第１照明部及び第２照明部の両方から光の照射を行いつつ第１画像を取得し、第１照明部から光の照射を行いつつ第２画像を取得し、それら第１画像と第２画像とを比較し、その比較結果に基づき原稿の端部を判定する。これにより、固定の反射型センサを用いることなく、正確に原稿台ガラス上に載置された原稿の端部を判定することができ、原稿サイズを正確に判定することができる。
【図面の簡単な説明】
【００１０】
【図１】画像読取装置の構成を示す模式断面図。
【図２】イメージセンサによる読取り時を示す模式図で、（ａ）は上流側導光体及び下流側導光体で照明して第１画像を取得する際の図、（ｂ）は上流側導光体で照明して第２画像を取得する際の図。
【図３】原稿が奥突き当てで載置された場合の第１画像の取得時を示す図で、（ａ）は原稿の載置状態を示す上方視図、（ｂ）は第１画像の内容を示す図、（ｃ）は第２画像の内容を示す図。
【図４】原稿が中央に載置された場合の第１画像の取得時を示す図で、（ａ）は原稿の載置状態を示す上方視図、（ｂ）は第１画像の内容を示す図、（ｃ）は第２画像の内容を示す図。
【図５】第１の実施の形態に係る原稿サイズ判定装置の制御を示すブロック図。
【図６】第１の実施の形態に係る原稿スキャン制御を示すフローチャート。
【図７】第１の実施の形態に係る上流側導光体及び下流側導光体の照明タイミングを示すタイムチャート。
【図８】第２の実施の形態に係る原稿スキャン制御を示すフローチャート。
【図９】従来の上流側導光体及び下流側導光体の照明タイミングを示すタイムチャート。
【発明を実施するための形態】
【００１１】
＜第１の実施の形態＞
以下、本発明に係る第１の実施の形態を図１乃至図７に沿って説明する。まず、原稿サイズ判定装置１を有する画像読取装置１００の構成を図に沿って説明する。
【００１２】
画像読取装置１００は、図１に示すように、原稿台ガラス１０３、原稿圧板１０１、イメージセンサ（光学ユニット）３０１、イメージセンサ３０１を制御するためのＣＰＵ１５１及びメモリ１５２等を有する制御部（制御装置）１５０、等を備えている。なお、制御部１５０は、メモリ１５２（ＲＯＭ等）に格納されたプログラムに基づきＣＰＵ１５１が各種演算を行うことで、詳しくは後述する図５に示すような各部の演算を実行する。
【００１３】
詳細には、画像読取装置１００は、原稿台ガラス１０３を有しており、原稿台ガラス１０３の上方には、不図示のヒンジ機構により原稿台ガラス１０３の上面に対して開閉自在な原稿圧板１０１が配設されている。原稿圧板１０１は、閉じられた際に、原稿台ガラス１０３の上に載置された原稿を押さえるように構成されている。なお、画像読取装置１００におけるヒンジ機構側の近傍には、原稿圧板１０１の開閉を検知するための開閉検知センサ４０１が配設されている。
【００１４】
また、原稿台ガラス１０３の下方には、画像読取用のイメージセンサ３０１が、主走査方向を長手方向として（主走査方向に沿って）配置され、副走査方向に移動自在に配設されている。イメージセンサ３０１は、原稿台ガラス１０３上に配置された原稿に対向するように主走査方向に沿って配置されたレンズアレイ（ラインセンサ、読取部）１０５を有している。レンズアレイ１０５（原稿読取位置）の副走査方向上流側には、主走査方向に沿って上流側導光体（第１照明部）１０４が配置されている。また、レンズアレイ１０５（原稿読取位置）の副走査方向下流側には、主走査方向に沿って下流側導光体（第２照明部）１０６が配置されている。
【００１５】
上流側導光体１０４と下流側導光体１０６とは、それぞれ不図示の光源から照射される光を導光して、図２（ａ）に示すように、原稿台ガラス１０３を介して原稿１０２に主走査方向へライン状の光を照射可能に構成されている。上流側導光体１０４の光源（不図示）と下流側導光体１０６の光源（不図示）とは、それぞれ個別に光を照射自在となるように構成されており、つまり上流側導光体１０４と下流側導光体１０６とは独立して光の照射をＯＮ／ＯＦＦし得るように構成されている。従って、図２（ｂ）に示すように、上流側導光体１０４だけから原稿台ガラス１０３を介して原稿１０２に光を照射することも可能に構成されている。そして、上流側導光体１０４や下流側導光体１０６から原稿１０２に照射され、レンズアレイ１０５に結像された反射光は、不図示の光電変換素子に送られ、電気信号に変換された後、制御部１５０の信号処理部（不図示）にて処理される。なお、本実施の形態では、上流側導光体１０４の光源と下流側導光体１０６の光源との２つの光源を有しているものとして説明するが、１つの光源を用いて、下流側導光体１０６への光だけを遮断するような構造であってもよい。上流側導光体１０４と下流側導光体１０６との一方の照射を消灯することは、つまり一方の光量を変更して光の照射を行っているものといえる。
【００１６】
ところで、上流側導光体１０４及び下流側導光体１０６の照射に基づき原稿１０２を読取る際、レンズアレイ１０５に結像された反射光を電気信号に変換して処理するが、原稿１０２の端部では原稿１０２の厚みによる段差により光量低下が発生する。これは上流側導光体１０４から照射した光が、原稿１０２の後端部８０１によって遮蔽されることで原稿圧板１０１からの反射光が不足するためである。この場合、下流側導光体１０６の照射により光量低下を補っているが、原稿１０２の端部を上流側導光体１０４だけで照射した場合、上記段差による光量低下は顕著になる。
【００１７】
図３（ａ）に示す状態は、白紙の原稿１０２を原稿台ガラス１０３の上にあって規制板１０８，１０９に突き当てた、いわゆる奥突き当てで載置した状態である。この状態において、上流側導光体１０４及び下流側導光体１０６の照射に基づき原稿１０２を読取ると、図３（ｂ）に示す原稿スキャン画像が得られる。なお、本明細書中では、上流側導光体１０４及び下流側導光体１０６の両方の照射を行いつつスキャン（走査）して得られた画像のことを「第１画像」という。図３（ｂ）に示す第１画像では、副走査方向に沿った原稿１０２の側端部８０２によって遮蔽されることで原稿圧板１０１からの反射光が不足することで薄い罫線８０２Ｓとなる。また第１画像では、主走査方向に沿った原稿１０２の後端部８０１が、上流側導光体１０４からの照射に基づく光量低下がある。しかし、下流側導光体１０６によって副走査方向の下流側から照射される光は原稿１０２の後端部８０１により遮蔽されないため、全体として光量が若干低下したことによる薄い罫線８０１Ｓとなる。
【００１８】
また、図３（ａ）に示す原稿１０２の奥突き当てで載置した状態で、上流側導光体１０４だけの照射に基づき原稿１０２を読取ると、図３（ｃ）に示す原稿スキャン画像が得られる。なお、本明細書中では、下流側導光体１０６による照射をせずに上流側導光体１０４の照射を行いつつスキャン（走査）して得られた画像のことを「第２画像」という。図３（ｃ）に示す第２画像では、副走査方向に沿った原稿１０２の側端部８０２が遮蔽されることで光量が低下し薄い罫線８０２Ｓとなる。そして、第２画像では、主走査方向に沿った原稿１０２の後端部８０１が、上流側導光体１０４からの照射に基づく光量低下が発生するため、光量低下が顕著となり、光量低下による濃い罫線８０１Ｓとなる。
【００１９】
図４（ａ）に示す状態は、白紙の原稿１０２を原稿台ガラス１０３の上にあって略々中央に載置した状態である。この状態において、上流側導光体１０４及び下流側導光体１０６の照射に基づき原稿１０２を読取ると、図４（ｂ）に示す原稿スキャン画像（第１画像）が得られる。図４（ｂ）に示す第１画像では、副走査方向に沿った原稿１０２の側端部９０２が遮蔽されることで光量が低下し薄い罫線９０２Ｓとなる。また、第１画像では、副走査方向に沿った原稿１０２の側端部９０４が遮蔽されることで光量が低下し薄い罫線９０４Ｓとなる。また、第１画像では、主走査方向に沿った原稿１０２の前端部９０３が、下流側導光体１０６からの照射に基づく光量低下がある。しかし、上流側導光体１０４によって副走査方向の下流側から照射されるため、全体として光量が若干低下したことによる薄い罫線９０３Ｓとなる。さらに、第１画像では、同様に原稿１０２の後端部９０１が、上流側導光体１０４からの照射に基づく光量低下があるが、下流側導光体１０６によって副走査方向の下流側から照射されるため、全体として光量が若干低下したことによる薄い罫線９０１Ｓとなる。
【００２０】
また、図４（ａ）に示す原稿１０２を中央に載置した状態で、上流側導光体１０４だけの照射に基づき原稿１０２を読取ると、図４（ｃ）に示す原稿スキャン画像（第２画像）が得られる。図４（ｃ）に示す第２画像では、副走査方向に沿った原稿１０２の側端部９０２が遮蔽されることで光量が低下し薄い罫線９０２Ｓとなる。また、第２画像では、副走査方向に沿った原稿１０２の側端部９０４が遮蔽されることで光量が低下し薄い罫線９０４Ｓとなる。また、第２画像では、主走査方向に沿った原稿１０２の前端部９０３が、下流側導光体１０６からの照射が無いため、殆んど影が発生せず、罫線９０３Ｓも殆んど発生しない。そして、第２画像では、主走査方向に沿った原稿１０２の後端部９０１が、上流側導光体１０４からの照射に基づく光量低下が発生するため、光量低下が顕著となり、光量低下による濃い罫線９０１Ｓとなる。
【００２１】
本実施の形態に係る原稿サイズ判定装置１では、このような第１画像（上流側導光体１０４及び下流側導光体１０６の照射）と第２画像（下流側導光体１０６を使用せず、上流側導光体１０４の照射）との光量低下の特性の違いを用いる。これにより、正確に原稿の端部を判定しようとするものである。以下に、本実施の形態に係る原稿サイズ判定装置１による原稿サイズ判定時の制御（動作）について図５乃至図７に沿って説明する。
【００２２】
図５に示すように、原稿サイズ判定装置１の制御部１５０は、メモリ１５２（ＲＯＭ等）に記録格納されたプログラムに基づきＣＰＵ１５１が演算することで（図１参照）、各部の機能が実行される。即ち、制御部１５０においては、光源制御部１５３、Ａ／Ｄ変換部１５４、シェーディング補正部１５５として各部が機能する。また、制御部１５０においては、データ切換え部１５６、原稿画像データ用ラインバッファ部１５７、原稿端部データ用ラインバッファ部１５８、ラインカウンタ部１５９、比較部１６０、後端位置情報格納部１６１、画像処理部２００として各部が機能する。
【００２３】
光源制御部１５３は、イメージセンサ３０１内にある上流側導光体１０４及び下流側導光体１０６のそれぞれの光源に対して与える照射指令を制御（オン・オフ制御）することで、原稿への照射タイミングを制御する。原稿からの反射光がレンズアレイ１０５に結像されると、イメージセンサ３０１内の図示しない光電変換素子より画像データの電気信号を生成し、Ａ／Ｄ変換部１５４に出力する。
【００２４】
ここで、上流側導光体１０４及び下流側導光体１０６による照射タイミングについて図７及び図９に沿って説明する。一般的な原稿サイズ判定装置にあっては、図９に示すように、副走査方向のライン同期信号であるＳＰ信号の立ち上がりが検出されると、上流側導光体及び下流側導光体の両方の光源（即ちＬＥＤ）が１ライン走査する時間だけオンされる。すると、反射光がレンズアレイに結像され、原稿画像データ（Ｖｏｕｔ）がＣＬＫ信号に同期して画素毎に出力される。
【００２５】
本実施の形態に係る原稿サイズ判定装置１では、図７に示すように、まず同様に、副走査方向のライン同期信号であるＳＰ信号の立ち上がりが検出されると、上流側導光体１０４及び下流側導光体１０６の両方の光源が１ライン走査する時間だけオンされる。これにより、反射光がレンズアレイ１０５に結像され、第１画像としての原稿画像データ（Ｖｏｕｔ）がＣＬＫ信号に同期して画素毎に出力される。
【００２６】
次に、副走査方向のライン同期信号であるＳＰ信号が入力される期間の約半周期前に、原稿端部検出用のＳＰ信号が再度入力される。この約半周期のＳＰ信号の立ち上がりが検出されると、上流側導光体１０４の光源だけが１ライン走査する時間だけオンされる。これにより、反射光がレンズアレイ１０５に結像され、第２画像としての原稿画像データ（Ｖｏｕｔ）がＣＬＫ信号に同期して画素毎に出力される。
【００２７】
このように本実施の形態にあっては、一般的なスキャン周期の半周期ごとに、交互に、上流側導光体１０４及び下流側導光体１０６の点灯、上流側導光体１０４だけの点灯が繰り返される。これにより、原稿の主走査方向の１ラインについて、第１画像の１ライン分の原稿画像データと、第２画像の１ライン分の原稿画像データとが、交互に図５に示すＡ／Ｄ変換部１５４に出力される。
【００２８】
図５に示すように、イメージセンサ３０１から出力された原稿画像データは、Ａ／Ｄ変換部１５４によってデジタル化される。このデジタル化された原稿画像データは、シェーディング補正部１５５にて、光量分布のばらつきや、イメージセンサ３０１の各光電変換素子の感度のばらつき等の補正処理が施される。データ切換え部１５６では、第１画像としての原稿画像データは原稿画像データ用ラインバッファ部１５７へ、第２画像としての原稿画像データは原稿端部データ用ラインバッファ部１５８へと、１ライン分のデータ毎に切換えて転送する。原稿画像データ用ラインバッファ部１５７にバッファされた第１画像の原稿画像データは、画像処理部２００に出力され、例えば複写等の画像形成に用いられる。
【００２９】
一方、比較部１６０は、原稿画像データ用ラインバッファ部１５７にバッファされた第１画像と、原稿端部データ用ラインバッファ部１５８にバッファされた第２画像との値を画素毎に比較する。また、ラインカウンタ部１５９は、原稿スキャン開始時よりライン数（即ち副走査方向のライン位置）をカウントする。そして、比較部１６０で第１画像と第２画像との値を比較した結果が所定閾値より高い場合、ラインカウンタ部１５９によりカウントされたライン数に基づく位置情報データが後端位置情報格納部１６１に逐次更新して格納される。
【００３０】
なお、比較部１６０における画素毎の比較は、原稿端部以外の領域において、第１画像と第２画像とのデータで輝度レベルが２６５階調の数レベルしか差がないため、本実施の形態においては輝度差が１０以上あった場合に、その画素を端部と判断する。また、例えば画像形成装置の製品仕様において原稿サイズ判定装置における判定最小サイズの仕様がＡ５サイズの場合、Ａ５サイズ以上（最小サイズ以上）の領域で端部検知した場合（所定閾値以上であった場合）にだけ、後端位置情報格納部１６１を更新する。これによりＡ５サイズ未満の領域でのノイズをカットできる。
【００３１】
その後、原稿台ガラス１０３のフルスキャンが終了すると、後端位置情報格納部１６１に格納された原稿端部の位置情報データ（原稿長データ）を画像処理部２００に出力する。それを受けた画像処理部２００は、原稿圧板１０１が開放状態から閉鎖状態に移行する際に検知したイメージセンサ３０１による主走査方向のサイズデータと、後端位置情報格納部１６１からの位置情報データとにより原稿サイズを判定する。
【００３２】
続いて、本原稿サイズ判定装置１における動作について図６のフローチャートに沿って説明する。原稿スキャンが開始されると（Ｓ１）、まずイメージセンサ３０１を原稿読取り開始位置まで移動する（Ｓ２）。この後は、ラインカウンタ部１５９が、フルスキャンが終了するまで１ライン移動する毎に、画像位置情報を「１」ずつカウントＵＰし、副走査方向における現在位置情報を管理する（Ｓ３）。
【００３３】
スキャンは、まず上流側導光体１０４及び下流側導光体１０６の両側導光体から照射し、１ライン分の第１画像（原稿画像情報）を読取り（Ｓ４）、原稿画像データ用ラインバッファ部１５７にバッファする（第１画像取得処理）。次にライン同期信号の約半周期後に上流側導光体１０４のみを照射し、同様に１ライン分の第２画像（原稿後端部情報）を読取り（Ｓ５）、原稿端部データ用ラインバッファ部１５８にバッファする（第２画像取得処理）。
【００３４】
ついで、比較部１６０は、第１画像と第２画像との１ライン分を比較し（Ｓ６）、上述した輝度レベルが閾値を超えた画素（つまり画像後端とされる画素）が、任意の画素数以上検出されたか否かを判定する（Ｓ７）。輝度レベルが閾値を超えた画素が任意の画素数未満であった場合は（Ｓ７のＮｏ）、ステップＳ９に進み、イメージセンサ３０１がスキャン終了位置でなければ（Ｓ９のＮｏ）ステップＳ３に戻る。
【００３５】
輝度レベルが閾値を超えた画素が任意の画素数以上であった場合は（Ｓ７のＹｅｓ）、その副走査方向のライン位置を、ラインカウンタ部１５９のカウント数に基づき、画像後端位置情報として画像位置情報を記録する（Ｓ８）。そして、イメージセンサ３０１がスキャン終了位置でなければ（Ｓ９のＮｏ）ステップＳ３に戻る。以上の制御をフルスキャンが終了するまで繰り返し、イメージセンサ３０１がスキャン終了位置となると（Ｓ９のＹｅｓ）、最後に更新格納された画像後端位置情報より原稿長を算出し（Ｓ１０）、原稿スキャンが終了となる（Ｓ１１）。
【００３６】
以上のように本原稿サイズ判定装置１によると、上流側導光体１０４及び下流側導光体１０６の両方から光の照射を行いつつ第１画像を取得し、上流側導光体１０４から光の照射を行いつつ第２画像を取得する。そして、それら第１画像と第２画像との輝度レベルを比較し、その比較結果に基づき原稿の端部を判定する。これにより、反射型センサを用いることなく、正確に原稿台ガラス１０３の上の原稿の端部を判定することができ、原稿サイズを正確に判定することができる。
【００３７】
＜第２の実施の形態＞
次に、図８のフローチャートを用いて本発明に係る第２の実施の形態の構成について説明する。なお、前述した第１の実施形態と製品構成は同一であるため説明を省略する。
【００３８】
上記第１の実施の形態においては、原稿台ガラスの上に載置された原稿の副走査方向の下流側端部（つまり後端）を検知するため、上流側導光体１０４の照射により第２画像を取得している。本第２の実施の形態では、原稿台ガラスの上に載置された原稿の副走査方向の上流側端部（つまり前端）及び原稿の副走査方向の側端部を判定するものである。
【００３９】
具体的に、第２の実施の形態における原稿サイズ判定装置の動作について図８のフローチャートに沿って説明する。原稿スキャンが開始されると（Ｓ２１）、まずイメージセンサ３０１を原稿読取り開始位置まで移動する（Ｓ２２）。この後は、ラインカウンタ部１５９が、フルスキャンが終了するまで１ライン移動する毎に、画像位置情報を「１」ずつカウントＵＰし、副走査方向における現在位置情報を管理する（Ｓ２３）。
【００４０】
スキャンは、まず上流側導光体１０４及び下流側導光体１０６の両側導光体から照射し、１ライン分の第１画像（原稿画像情報）を読取り（Ｓ２４）、原稿画像データ用ラインバッファ部１５７（画像処理部）にバッファ（転送）する（第１画像取得処理）。
【００４１】
次に、読込画像位置、即ち画像読込ラインが偶数であるか否かを判定し（Ｓ２５）、偶数でない場合（奇数である場合）（Ｓ２５のＮｏ）、上流側導光体１０４のみを照射し、同様に１ライン分の原稿端部データ１として読取る（Ｓ２６）。そして、原稿端部データ用ラインバッファ部１５８にバッファし（第２画像取得処理）、ステップＳ２３に戻る。読込画像位置、即ち画像読込ラインが偶数である場合（Ｓ２５のＹｅｓ）、下流側導光体１０６のみを照射し、同様に１ライン分の原稿端部データ２として読取る（Ｓ２７）。そして、原稿端部データ用ラインバッファ部１５８にバッファする（第２画像取得処理）。
【００４２】
ついで、比較部１６０は、１ライン分の原稿端部データ１と原稿端部データ２とにあって輝度値を画素毎に比較する（Ｓ２８）。原稿の濃淡があった場合、どちらの原稿端部データも片側照射によるデータであるため、原稿端部データ１と第２原稿端部データ２との同等な輝度値となる。しかし、原稿端部は影による輝度差が発生するため、任意の値以上の輝度差がある画素は原稿端部に発生した影として抽出することができる。
【００４３】
即ち、比較結果として、原稿端部データ２の輝度値が高く、原稿端部データ１の輝度値が低い場合（Ｓ２９のＹｅｓ）、その画素は左端、もしくは後端部のデータである。要するに上流側導光体１０４で照射した際は輝度が低く（影発生）、下流側導光体１０６で照射した際は輝度が高い（影無し）の場合、その画素は左端、もしくは後端部のデータである。この比較結果で＋αの輝度差があった画素の左端側の最大画素位置情報を左端データとして記録する（Ｓ３０）。また、比較結果で＋αの輝度差があり、且つその輝度差が任意の画素数以上あるか比較し（Ｓ３１）、任意の画素数以上である場合は（Ｓ３１のＹｅｓ）、そのライン情報を原稿後端位置データとして記録する（Ｓ３２）。
【００４４】
一方、原稿端部データ１の輝度値が高く、原稿端部データ２の輝度値が低い場合（Ｓ３３のＹｅｓ）、その画素は右端、もしくは先端部のデータである。要するに上流側導光体１０４で照射した際は輝度が高く（影無し）、下流側導光体１０６で照射した際は輝度が低い（影有り）の場合、その画素は右端、もしくは先端部のデータである。この比較結果で＋αの輝度差があった画素の右端側の最大画素位置情報を右端データとして記録する（Ｓ３４）。また、比較結果で＋αの輝度差があり、且つその輝度差が任意の画素数以上あるか比較し（Ｓ３５）、任意の画素数以上である場合は（Ｓ３５のＹｅｓ）、そのライン情報を原稿先端位置データとして記録する（Ｓ３６）。
【００４５】
そして、イメージセンサ３０１がスキャン終了位置でなければ（Ｓ３７のＮｏ）ステップＳ２３に戻る。以上の制御をフルスキャンが終了するまで繰り返す。イメージセンサ３０１がスキャン終了位置となると（Ｓ３７のＹｅｓ）、最後に更新格納された画像先端、後端位置データより原稿長を算出し、画像左端、右端データより原稿幅を算出し（Ｓ３８）、以上で原稿スキャンを終了する（Ｓ３９）。
【００４６】
従来の原稿サイズの判定方法では、原稿圧板１０１の開放時と閉鎖時の反射光の差で原稿の有無を判断し、原稿サイズを判定している。しかし、ユーザが原稿圧板１０１を僅かしか開かずに原稿をセットした場合、原稿圧板１０１開放時の反射光の有無を確定できずに誤判断するおそれが有る。その際はユーザによる原稿サイズを選択させる作業が必要であったが、本発明では、原稿圧板１０１の開放状態は不要であるので誤判断のおそれが無い。
【００４７】
なお、以上の実施の形態においては、本発明に好適な一例について説明したが、本発明の適用範囲はこれに限定されるものではない。
【００４８】
また、第１及び第２の実施の形態では、第２画像を取得する際に下流側導光体１０６の光を遮蔽しているが、遮蔽せずに下流側導光体１０６から照射する光量を減らすことで上流側導光体１０４からの光量との差を付けて原稿の端部を判定する構成も可能である。更に、第１画像と第２画像との画素毎を比較する際、輝度レベルの差が１０以上で端部位置情報としている。しかしながら、イメージセンサによって得られる輝度レベルが異なる為、製品に使用するイメージセンサに適した値に設定することが好ましい。
【００４９】
また、第１及び第２の実施の形態では、Ａ５サイズ以上の領域で輝度レベルの閾値以上の差を検知した場合に、後端位置情報格納部１６１を更新して格納するものを説明した。しかしながら、製品仕様によっては最小サイズが異なるので、Ａ５サイズを最小サイズとすることに限定されるものではない。
【符号の説明】
【００５０】
１…原稿サイズ判定装置：１０２…原稿：１０３…原稿台ガラス：１０４…第１照明部（上流側導光体）：１０５…ラインセンサ（レンズアレイ）：１０６…第２照明部（下流側導光体）：１５０…制御部：３０１…光学ユニット（イメージセンサ）
【図１】
2016066942.tif 000003
【図２】
2016066942.tif 000004
【図３】
2016066942.tif 000005
【図４】
2016066942.tif 000006
【図５】
2016066942.tif 000007
【図６】
2016066942.tif 000008
【図７】
2016066942.tif 000009
【図８】
2016066942.tif 000010
【図９】
2016066942.tif 000011